(57)【要約】【課題】シール部材の変形を抑制し、防水機能を確保することができるカバー付きコネクタを提供する。【解決手段】カバー付きコネクタ１は、電線１０と、電線１０の端末を保持するコネクタハウジング３０と、電線１０に装着されて、コネクタハウジング３０と電線１０との隙間をシールするシール部材と、コネクタハウジング３０に組み付けられて電線１０を覆うカバー４０と、を備え、コネクタハウジング３０が、電線引き出し面３４Ｆ１を有するとともに、電線引き出し面３４Ｆ１に開口し、内部に電線１０の端末とシール部材とが収容されるキャビティ３５を有し、シール部材が、電線導出面２０Ｆを有するとともに、電線導出面２０Ｆに開口し、内部に電線１０が挿通される電線挿通孔２１を有し、カバー４０が、電線１０を覆うカバー本体４１と、カバー本体４１から延び、電線導出面２０Ｆに当接するとともに電線１０をガイドするガイド部７１とを備えている。【選択図】図４
2020149874.tif 000002
【特許請求の範囲】
【請求項１】
電線と、
前記電線の端末を保持するコネクタハウジングと、
前記電線に装着されて、前記コネクタハウジングと前記電線との隙間をシールするシール部材と、
前記コネクタハウジングに組み付けられて前記電線を覆うカバーと、を備え、
前記コネクタハウジングが、電線引き出し面を有するとともに、前記電線引き出し面に開口し、内部に前記電線の端末と前記シール部材とが収容されるキャビティを有し、
前記シール部材が、電線導出面を有するとともに、前記電線導出面に開口し、内部に前記電線が挿通される電線挿通孔を有し、
前記カバーが、前記電線を覆うカバー本体と、前記カバー本体から延び、前記電線導出面に当接するとともに前記電線をガイドするガイド部とを備えている、カバー付きコネクタ。
【請求項２】
前記ガイド部が、前記電線引き出し面に対して垂直に配され、前記電線を挟んで保持する一対の保持壁を備えている、請求項１に記載のカバー付きコネクタ。
【請求項３】
前記保持壁が、前記電線導出面に当接する当接縁と、前記当接縁に対して角度をなして延びる端縁とを備えているとともに、前記当接縁と前記端縁とで規定される角部に、端縁から当接縁まで斜めに延びるテーパ部を有している、請求項２に記載のカバー付きコネクタ。
【請求項４】
前記カバーが、互いに組み付けられる第１カバーと第２カバーとを備え、
前記第１カバーが、前記保持壁を備える前記ガイド部を備えるとともに、前記保持壁から前記第２カバーに向かって延びる係止部を備え、
前記第２カバーが、前記係止部が係合する係止受部を備える、請求項２または請求項３に記載のカバー付きコネクタ。
【請求項５】
前記保持壁が、対となる相手側の前記保持壁に向かって突出し、前記電線を抜け止めする抜け止め部を備えている、請求項２から請求項４のいずれか１項に記載のカバー付きコネクタ。
【請求項６】
１つの前記保持壁が、複数の前記抜け止め部を備えており、隣り合う前記抜け止め部の間に前記電線が保持されている、請求項５に記載のカバー付きコネクタ。
【請求項７】
前記抜け止め部が板バネ状の抜け止めバネである、請求項５または請求項６に記載のカバー付きコネクタ。
【発明の詳細な説明】
【技術分野】
【０００１】
本明細書によって開示される技術は、カバー付きコネクタに関する。
【背景技術】
【０００２】
従来、コネクタにおける電線端末部の防水構造として、電線とコネクタハウジングとの隙間をシールするシール部材（ゴム栓）を備える構造が知られている。
【０００３】
この種のコネクタには、コネクタハウジングから導出される電線を覆うカバーが取り付けられることがある。電線カバーは、コネクタハウジングから後方に引き出された電線を保護しつつ、所定の方向へ案内して導き出している（特許文献１参照）。
【先行技術文献】
【特許文献】
【０００４】
【特許文献１】特開２０１６−８１６５５号公報
【発明の概要】
【発明が解決しようとする課題】
【０００５】
例えば、コネクタの後面側に十分な配線スペースが確保できず、コネクタハウジングの後面に近い位置で電線を屈曲する必要がある場合や、外力が加わって電線が引っ張られた場合においても、シール部材の変形を抑制し、防水機能を確保したいという要望がある。
【課題を解決するための手段】
【０００６】
本明細書によって開示されるカバー付きコネクタは、電線と、前記電線の端末を保持するコネクタハウジングと、前記電線に装着されて、前記コネクタハウジングと前記電線との隙間をシールするシール部材と、前記コネクタハウジングに組み付けられて前記電線を覆うカバーと、を備え、前記コネクタハウジングが、電線引き出し面を有するとともに、前記電線引き出し面に開口し、内部に前記電線の端末と前記シール部材とが収容されるキャビティを有し、前記シール部材が、電線導出面を有するとともに、前記電線導出面に開口し、内部に前記電線が挿通される電線挿通孔を有し、前記カバーが、前記電線を覆うカバー本体と、前記カバー本体から延び、前記電線導出面に当接するとともに前記電線をガイドするガイド部とを備えている。
【発明の効果】
【０００７】
本明細書によって開示されるカバー付きコネクタによれば、シール部材の変形を抑制し、防水機能を確保することができる。
【図面の簡単な説明】
【０００８】
【図１】図１は、実施形態のカバー付きコネクタの斜視図である。
【図２】図２は、実施形態において電線とゴム栓とが保持されたコネクタハウジングの斜視図である。
【図３】図３は、実施形態のロアカバーの斜視図である。
【図４】図４は、実施形態において、電線とゴム栓とが保持されたコネクタハウジングにロアカバーが組み付けられた状態を示す斜視図である。
【図５】図５は、実施形態において、電線とゴム栓とが保持されたコネクタハウジングにロアカバーが組み付けられた状態を示す平面図である。
【図６】図６は、図５のＡ−Ａ線断面図である。
【図７】図７は、変形例１のカバー付きコネクタの斜視図である。
【図８】図８は、変形例１のロアカバーの斜視図である。
【図９】図９は、変形例１において、電線とゴム栓とが保持されたコネクタハウジングにロアカバーが組み付けられた状態を示す斜視図である。
【図１０】図１０は、図７のＢ−Ｂ線断面図である。
【図１１】図１１は、変形例２のロアカバーの斜視図である。
【図１２】図１２は、変形例２において、電線とゴム栓とが保持されたコネクタハウジングにロアカバーが組み付けられた状態を示す斜視図である。
【図１３】図１３は、図１２のＣ−Ｃ線断面図である。
【図１４】図１４は、変形例３のガイド部の部分拡大図である。
【図１５】図１５は、変形例４のガイド部の部分拡大図である。
【発明を実施するための形態】
【０００９】
［実施形態の概要］
本明細書によって開示されるカバー付きコネクタは、電線と、前記電線の端末を保持するコネクタハウジングと、前記電線に装着されて、前記コネクタハウジングと前記電線との隙間をシールするシール部材と、前記コネクタハウジングに組み付けられて前記電線を覆うカバーと、を備え、前記コネクタハウジングが、電線引き出し面を有するとともに、前記電線引き出し面に開口し、内部に前記電線の端末と前記シール部材とが収容されるキャビティを有し、前記シール部材が、電線導出面を有するとともに、前記電線導出面に開口し、内部に前記電線が挿通される電線挿通孔を有し、前記カバーが、前記電線を覆うカバー本体と、前記カバー本体から延び、前記電線導出面に当接するとともに前記電線をガイドするガイド部とを備えている。
【００１０】
上記の構成によれば、ガイド部が電線導出面に当接していることにより、シール部材の位置が、キャビティへの正規の挿入位置に位置決めされる。電線に何らかの外力が加えられることにより、電線がキャビティから離脱する方向へ引っ張られたとしても、シール部材がガイド部によって押さえられることにより、シール部材が正規位置に保たれる。これにより、防水機能が確保される。
【００１１】
上記の構成において、前記ガイド部が、前記電線引き出し面に対して垂直に配され、前記電線を挟んで保持する一対の保持壁を備えていても構わない。
【００１２】
このような構成によれば、電線引き出し面に隣接する位置で、電線引き出し面に対して垂直に保持される。ここで、保持壁を備えない従来のカバー付きコネクタでは、コネクタハウジングから導出された電線が屈曲されると、電線引き出し面に対して電線が斜めに延びることとなり、それに追従してシール部材が変形して防水機能が低下することが懸念される。しかし、上記の構成では、保持壁によって、電線が、電線引き出し面に対して垂直に保持されているから、シール部材の変形による防水機能の低下が回避される。
【００１３】
また、保持壁を有しない従来のカバー付きコネクタでは、シール部材の変形抑制のために、電線をコネクタハウジングからある程度の長さまでまっすぐに引き出すことを要していた。これに対し、上記の構成では、電線が保持壁により電線引き出し面に対して垂直に保たれている。これにより、保持壁に隣接する位置で電線を屈曲させても、シール部材の変形を回避することができる。これにより、カバーの小型化を図れる。
【００１４】
上記の構成において、前記保持壁が、前記電線導出面に当接する当接縁と、前記当接縁に対して角度をなして延びる端縁とを備えているとともに、前記当接縁と前記端縁とで規定される角部に、端縁から当接縁まで斜めに延びるテーパ部を有していても構わない。
【００１５】
このような構成によれば、シール部材のキャビティへの正規の挿入位置からの位置ずれ量が比較的小さい場合には、カバーのコネクタハウジングへの組み付けの際に、シール部材が、テーパ部によって案内されて、キャビティの内部に押し込まれる。これにより、シール部材が正規の挿入位置に矯正される。また、シール部材の位置ずれ量が比較的大きい場合には、シール部材が保持壁と干渉し、カバーのコネクタハウジングへの組み付けができない。このように、保持壁が、シール部材のキャビティへの正規の挿入位置への矯正、または挿入不良の検知の役割を果たす。
【００１６】
上記の構成において、前記カバーが、互いに組み付けられる第１カバーと第２カバーとを備え、前記第１カバーが、前記保持壁を備える前記ガイド部を備えるとともに、前記保持壁から前記第２カバーに向かって延びる係止部を備え、前記第２カバーが、前記係止部が係合する係止受部を備えていても構わない。
【００１７】
このような構成によれば、保持壁に何らかの外力が作用したとしても、係止部が係止受部に係合していることによって、保持壁が互いに離間する方向に撓むことが回避される。これにより、電線を引き出し面に対して垂直に、確実に保持することができる。
【００１８】
上記の構成において、前記保持壁が、対となる相手側の前記保持壁に向かって突出し、前記電線を抜け止めする抜け止め部を備えていても構わない。
【００１９】
このような構成によれば、抜け止め部によって、電線が一対の保持壁の間から外れてしまうことが抑制される。これにより、電線を引き出し面に対して垂直に、確実に保持することができる。
【００２０】
上記の構成において、１つの前記保持壁が、複数の前記抜け止め部を備えており、隣り合う前記抜け止め部の間に前記電線が保持されていても構わない。
【００２１】
このような構成によれば、抜け止め部の数を増やすことによって、一対の保持壁間に複数の電線を保持させることができるから、例えば、コネクタハウジングから導出される電線の列が複数である場合にも対応できる。
【００２２】
上記の構成において、前記抜け止め部が板バネ状の抜け止めバネであっても構わない。このような構成によれば、抜け止めバネの撓み量が、一対の保持壁間に保持される電線の外径に応じて変化することにより、コネクタハウジングに保持される電線のサイズ変更にある程度対応できる。
【００２３】
［実施形態の詳細］
本明細書によって開示される技術の具体例を、以下に図面を参照しつつ説明する。なお、本発明はこれらの例示に限定されるものではなく、特許請求の範囲によって示され、特許請求の範囲と均等の意味および範囲内でのすべての変更が含まれることが意図される。
【００２４】
＜実施形態＞
実施形態を、図１から図６を参照しつつ説明する。本実施形態のカバー付きコネクタ１は、図１および図２に示すように、複数の電線１０と、電線１０に装着されるゴム栓２０（シール部材に該当）と、電線１０を保持するコネクタハウジング３０と、コネクタハウジング３０に組み付けられるカバー４０とを備える。
【００２５】
［電線１０およびゴム栓２０］
複数の電線１０のそれぞれの端末には、端子金具が圧着され、ゴム栓２０が装着されている。ゴム栓２０は、図２および図５に示すように、円筒状であって、一方の端面が電線導出面２０Ｆとなっているとともに、この電線導出面２０Ｆに開口する電線挿通孔２１を有している。電線１０は、電線挿通孔２１の内部に緊密に挿通されている。
【００２６】
［コネクタハウジング３０］
コネクタハウジング３０は、合成樹脂製であって、図２に示すように、相手側コネクタと嵌合されるフード部３１と、フード部３１から連なる電線保持部３４とを備えている。
【００２７】
フード部３１は、矩形板状の奥壁部３２と、この奥壁部３２の周縁から延びる角筒状の周壁部３３とを備えている。
【００２８】
電線保持部３４は、図２および図５に示すように、奥壁部３２から延びるブロック状の部分であって、奥壁部３２とは反対側に電線引き出し面３４Ｆ１を有している。電線保持部３４は、電線引き出し面３４Ｆ１に開口する複数のキャビティ３５を有している。各キャビティ３５の内部には、電線１０の端末と、端子金具と、ゴム栓２０の大部分とが収容されている。ゴム栓２０は、電線１０とキャビティ３５の内壁との隙間をシールしている。ゴム栓２０において、電線導出面２０Ｆ側の端部は、キャビティ３５からわずかにはみ出して、電線引き出し面３４Ｆ１から突出して配されている。そして、ゴム栓２０の電線導出面２０Ｆから、電線１０が延びている。電線保持部３４は、電線引き出し面３４Ｆ１と垂直な一対のロック面３４Ｆ２を有している。このロック面３４Ｆ２からは、カバー４０との係合のためのロック突部３６が突出している。
【００２９】
［カバー４０］
カバー４０は、図１および図３に示すように、全体としてＬ字の筒状をなすカバー本体４１と、カバー本体４１の内部に配置されるガイド部７１とを備えている。カバー本体４１は、図１に示すように、電線保持部３４に対して、電線引き出し面３４Ｆ１を含む一端部を覆うように組み付けられる主筒部４２と、この主筒部４２から連なる導出部４３とを備える。
【００３０】
カバー４０は、図１に示すように、ロアカバー５１（第１カバーに該当）とアッパカバー６１（第２カバーに該当）とが互いに組み付けられることによって、全体として筒状とされている。
【００３１】
ロアカバー５１は、図３に示すように、主筒部４２を構成する下主筒部５２と、導出部４３を構成する下導出部５６と、下主筒部５２の内部に配置された複数のガイド部７１とを備えている。下主筒部５２は、全体として、Ｌ字状に屈曲されたＵ字溝状をなしている。下主筒部５２は、Ｌ字の平板状の底壁５３と、底壁５３から延び、Ｌ字に屈曲された板状の外壁５４と、同じく底壁５３から延び、Ｌ字に屈曲された板状の内壁５５とを備えている。外壁５４と内壁５５とは、底壁５３に対して垂直に延び、互いに間隔を空けて配置されている。下導出部５６は下主筒部５２の一端に連なり、全体としてＵ字溝状をなしている。外壁５４および内壁５５において、下導出部５６が連なっている側と反対側の端部は、電線保持部３４のロック面３４Ｆ２に沿って配されるロック壁部５４Ｌ、５５Ｌとなっている。ロック壁部５４Ｌ、５５Ｌは、それぞれ、ロック突部３６を受け入れるロック凹部５７を有している。
【００３２】
アッパカバー６１は、図１に示すように、主筒部４２を構成する上主筒部６２と、導出部４３を構成する上導出部６３とを備えている。上主筒部６２は、全体としてＬ字の平板状をなし、底壁５３に平行に配置される板状の部分である。上導出部６３は上主筒部６２の一端に連なり、全体としてＵ字溝状をなしている。
【００３３】
ロアカバー５１は、複数のロック突起５８を備えており、アッパカバー６１は、ロック突起５８と係合する複数のロック片６４を備えている。
【００３４】
複数のガイド部７１のそれぞれは、図３に示すように、支持壁７２と、支持壁７２を挟んで配置される一対の保持壁７３とを備えている。支持壁７２は、底壁５３から突出し、カバー４０がコネクタハウジング３０に組み付けられた状態で電線引き出し面３４Ｆ１に平行に配置される壁部である。一対の保持壁７３のそれぞれは、同じく底壁５３から突出し、支持壁７２よりも長い壁部である。一対の保持壁７３のそれぞれは、支持壁７２に対して垂直に配置され、支持壁７２の両側縁のそれぞれに接続されている。保持壁７３は、図４および図５に示すように、カバー４０がコネクタハウジング３０に組み付けられた状態で電線引き出し面３４Ｆ１に垂直な向きで配置される。
【００３５】
保持壁７３は、当接縁７３Ａと延出端縁７３Ｂ（端縁に該当）とを備えている。当接縁７３Ａは、図３および図５に示すように、保持壁７３において、カバー４０がコネクタハウジング３０に組み付けられた状態で電線引き出し面３４Ｆ１側を向く面であって、電線導出面２０Ｆに当接する。延出端縁７３Ｂは、図３に示すように、保持壁７３において底壁５３と反対側の端縁であって、当接縁７３Ａに対して垂直に伸びている。保持壁７３は、図３に示すように、延出端縁７３Ｂと当接縁７３Ａとで規定される角部に、延出端縁７３Ｂから当接縁７３Ａまで斜めに延びるテーパ部７３Ｃを有している。
【００３６】
複数のガイド部７１のそれぞれは、カバー４０がコネクタハウジング３０に組み付けられた際に、ゴム栓２０の電線導出面２０Ｆに当接するとともに、電線１０をガイドする。図５および図６に示すように、一対の保持壁７３の間隔は、概ね電線１０の外径と等しくなっており、ゴム栓２０の外径よりも小さくなっている。１つのガイド部７１は、１本の電線１０を保持するようになっている。
【００３７】
［カバー付きコネクタ１の組み立て］
カバー付きコネクタ１を組み立てる際には、まず、図２に示すように、電線１０がコネクタハウジング３０に組み付けられる。電線１０が、端末に圧着された端子金具およびゴム栓２０とともに、キャビティ３５の内部に挿入される。電線１０が正規位置に保持された状態では、ゴム栓２０が、電線１０の外周面とキャビティ３５の内壁とに密着し、電線１０とコネクタハウジング３０との隙間をシールする。このようにして、電線１０のコネクタハウジング３０への組み付けが完了する。
【００３８】
次に、電線１０が組み付けられたコネクタハウジング３０に、カバー４０が組み付けられる。
【００３９】
まず、図４および図５に示すように、ロアカバー５１がコネクタハウジング３０に組み付けられる。ロック突部３６がロック凹部５７に嵌め込まれることにより、ロアカバー５１がコネクタハウジング３０に係止される。また、複数の電線１０のそれぞれが、複数のガイド部７１のそれぞれに嵌め付けられる。具体的には、電線１０が一対の保持壁７３の間に挿入され、支持壁７２上に保持される。電線１０は、下主筒部５２の内部に配索されて、下導出部５６から外部に導出される。このようにして、ロアカバー５１のコネクタハウジング３０への組み付けが完了する。
【００４０】
次に、図１に示すように、ロアカバー５１にアッパカバー６１が組み付けられる。下主筒部５２と上主筒部６２、下導出部５６と上導出部６３がそれぞれ対向するように位置合わせされて、ロアカバー５１にアッパカバー６１が嵌め合わせられる。そして、各ロック突起５８に各ロック片６４が係合することにより、ロアカバー５１とアッパカバー６１とが合体状態にロックされる。このようにして、ロアカバー５１にアッパカバー６１が組み付けられ、カバー付きコネクタ１の組み立てが完了する。
【００４１】
カバー付きコネクタ１の組み立てが完了した状態では、電線保持部３４から導出される電線１０がカバー４０によって覆われる。電線１０は、主筒部４２のＬ字形状に沿って屈曲され、導出部４３から外部に導出される。
【００４２】
また、図５に示すように、一対の保持壁７３が、電線導出面２０Ｆに当接している。これにより、ゴム栓２０の位置が、キャビティ３５への正規の挿入位置に位置決めされる。電線１０に何らかの外力が加えられることにより、電線１０がキャビティ３５から離脱する方向へ引っ張られたとしても、ゴム栓２０が保持壁７３によって押さえられて、正規の挿入位置に保たれ、防水機能が保持される。
【００４３】
また、電線１０のキャビティ３５への挿入量の誤差や、電線１０とゴム栓２０との取付位置の誤差などにより、電線１０をコネクタハウジング３０に装着する際に、ゴム栓２０がキャビティ３５への正規の挿入位置から位置ずれする場合がある。ここで、保持壁７３は、テーパ部７３Ｃを有している。ゴム栓２０の位置ずれ量が比較的小さい場合には、ロアカバー５１のコネクタハウジング３０への組み付けの際に、ゴム栓２０が、テーパ部７３Ｃによって案内されて、キャビティ３５の内部に押し込まれる。これにより、ゴム栓２０が正規の挿入位置に矯正される。また、ゴム栓２０の位置ずれ量が比較的大きい場合には、ゴム栓２０が保持壁７３と干渉し、ロアカバー５１のコネクタハウジング３０への組み付けができない。このように、保持壁７３が、ゴム栓２０のキャビティ３５への正規の挿入位置への矯正、または挿入不良の検知の役割を果たす。
【００４４】
さらに、図５に示すように、一対の保持壁７３が電線引き出し面３４Ｆ１に対して垂直に配置されており、保持壁７３によって電線１０が挟まれて保持されている。これにより、電線１０は、電線引き出し面３４Ｆ１に対して垂直に引き出されている。ここで、保持壁を備えない従来のカバー付きコネクタでは、コネクタハウジングから導出された電線が屈曲されると、電線引き出し面に対して電線が斜めに延びることとなり、それに追従してゴム栓が変形することが懸念される。ゴム栓が変形すると、電線の外周面と電線挿通孔の内周面、またはゴム栓の外周面とキャビティの内壁面との間に隙間が生じ、ゴム栓の防水機能が低下するおそれがある。しかし、本実施形態では、保持壁７３によって、電線１０が、電線引き出し面３４Ｆ１に対して垂直に保持されている。これにより、ゴム栓２０の変形が抑制され、防水機能の低下が回避される。
【００４５】
また、保持壁を備えない従来のカバー付きコネクタでは、ゴム栓変形抑制のために、電線をコネクタハウジングからある程度の長さまでまっすぐに引き出すことを要していた。しかし、本実施形態では、図５に示すように、保持壁７３によって、電線引き出し面３４Ｆ１に隣接する位置で、電線１０が電線引き出し面３４Ｆ１に対して垂直に保たれているから、保持壁７３に隣接する位置で電線１０を屈曲させても、ゴム栓２０の変形を回避することができる。これにより、主筒部４２の長さを従来よりも短くすることができ、カバー４０の小型化を図れる。
【００４６】
［作用効果］
以上のように本実施形態によれば、カバー付きコネクタ１は、電線１０と、電線１０の端末を保持するコネクタハウジング３０と、電線１０に装着されて、コネクタハウジング３０と電線１０との隙間をシールするゴム栓２０と、コネクタハウジング３０に組み付けられて電線１０を覆うカバー４０と、を備える。コネクタハウジング３０が、電線引き出し面３４Ｆ１を有するとともに、電線引き出し面３４Ｆ１に開口し、内部に電線１０の端末とゴム栓２０とが収容されるキャビティ３５を有する。ゴム栓２０が、電線導出面２０Ｆを有するとともに、電線導出面２０Ｆに開口し、内部に電線１０が挿通される電線挿通孔２１を有する。カバー４０が、電線１０を覆うカバー本体４１と、カバー本体４１を構成するロアカバー５１から延び、電線導出面２０Ｆに当接するとともに電線１０をガイドするガイド部７１を備えている。
【００４７】
上記の構成によれば、ガイド部７１が電線導出面２０Ｆに当接していることにより、ゴム栓２０の位置が、キャビティ３５への正規の挿入位置に位置決めされる。電線１０に何らかの外力が加えられることにより、電線１０がキャビティ３５から離脱する方向へ引っ張られたとしても、ゴム栓２０がガイド部７１によって押さえられることにより、ゴム栓２０が正規位置に保たれる。これにより、防水機能が確保される。
【００４８】
また、ガイド部７１が、電線引き出し面３４Ｆ１に対して垂直に配され、電線１０を挟んで保持する一対の保持壁７３を備えている。
【００４９】
このような構成によれば、電線１０は、電線引き出し面３４Ｆ１に隣接する位置で、電線引き出し面３４Ｆ１に対して垂直に保持される。ここで、コネクタハウジング３０から導出された電線１０が屈曲されると、電線引き出し面３４Ｆ１に対して電線１０が斜めに延びることとなり、それに追従してゴム栓２０が変形して防水機能が低下することが懸念される。しかし、本実施形態の構成では、保持壁７３によって、電線１０が、電線引き出し面３４Ｆ１に対して垂直に保持されている。これにより、ゴム栓２０の変形による防水機能の低下が回避される。
【００５０】
また、保持壁７３を有しない従来のカバー付きコネクタでは、シール部材の変形抑制のために、電線をコネクタハウジングからある程度の長さまでまっすぐに引き出すことを要していた。しかし、本実施形態の構成では、電線１０が保持壁７３により電線引き出し面３４Ｆ１に対して垂直に保たれているので、保持壁７３に隣接する位置で電線１０を屈曲させても、ゴム栓２０の変形を回避することができる。これにより、カバー４０の小型化を図れる。
【００５１】
また、保持壁７３が、電線導出面２０Ｆに当接する当接縁７３Ａと、当接縁７３Ａに対して垂直に延びる延出端縁７３Ｂとを備えているとともに、当接縁７３Ａと延出端縁７３Ｂとで規定される角部に、延出端縁７３Ｂから当接縁７３Ａまで斜めに延びるテーパ部７３Ｃを有している。
【００５２】
このような構成によれば、ゴム栓２０のキャビティ３５への正規の挿入位置からの位置ずれ量が比較的小さい場合には、カバー４０のコネクタハウジング３０への組み付けの際に、ゴム栓２０が、テーパ部７３Ｃによって案内されて、キャビティ３５の内部に押し込まれる。これにより、ゴム栓２０が正規の挿入位置に矯正される。また、ゴム栓２０がキャビティ３５への正規の挿入位置から位置ずれしている場合には、ゴム栓２０が保持壁と干渉し、カバー４０のコネクタハウジング３０への組み付けができない。このように、ガイド部７１が、ゴム栓２０のキャビティ３５への正規の挿入位置への矯正、または挿入不良の検知の役割を果たす。
【００５３】
＜変形例１＞
次に、変形例１を図７から図１０を参照しつつ説明する。本変形例のカバー付きコネクタ１００は、ロアカバー１１１に備えられるガイド部１１２が、保持壁１１３から延びる係止突片１１４（係止部に該当）を備え、アッパカバー１１５が、係止突片１１４を受け入れる係止孔１１７（係止受部に該当）を有している点で、上記実施形態と異なる。本変形例において上記実施形態と同等の構成には、同一の符号を付して説明を省略する。
【００５４】
カバー１１０は、実施形態と同様に、ロアカバー１１１と、ロアカバー１１１に組付けられるアッパカバー１１５とを備えている。ロアカバー１１１は、底壁５３から延びるガイド部１１２を備えている。ガイド部１１２は、図８に示すように、一対の保持壁１１３と、一対の保持壁１１３のそれぞれから延びる係止突片１１４を備えている。一対の保持壁１１３のそれぞれは、底壁５３から突出する壁部である。保持壁１１３は、図９に示すように、ロアカバー１１１がコネクタハウジング３０に組み付けられた状態で、電線引き出し面３４Ｆ１に垂直な向きで配置されている。係止突片１１４は、図８、図９および図１０に示すように、保持壁１１３の延出端から、上主筒部１１６に向かって延びる板片状の部分である。
【００５５】
アッパカバー１１５の上主筒部１１６は、図７および図１０に示すように、係止突片１１４を受け入れる複数の係止孔１１７を有している。係止孔１１７は、上主筒部１１６を貫通する貫通孔である。
【００５６】
本変形例においても、上記実施形態と同様の作用効果が奏される。また、ロアカバー１１１とアッパカバー１１５とが互いに組み付けられた状態では、図１０に示すように、係止突片１１４の先端が係止孔１１７に入り込む。このような構成によれば、保持壁１１３に何らかの外力が作用したとしても、係止突片１１４が係止孔１１７の孔縁に係止することによって、保持壁１１３が互いに離間する方向に撓むことが回避される。これにより、電線１０を電線引き出し面３４Ｆ１に対して垂直に、確実に保持することができる。
【００５７】
＜変形例２＞
次に、変形例２を図１１から図１３を参照しつつ説明する。本変形例において上記実施形態と同等の構成には、同一の符号を付して説明を省略する。
【００５８】
ロアカバー２１０に備えられるガイド部２１１は、図１１に示すように、支持柱２１２と、一対の保持壁２１３と、一対の保持壁２１３のそれぞれの先端から延びる抜け止め爪２１４（抜け止め部に該当）とを備えている。支持柱２１２は、底壁５３から突出する柱状の部分である。一対の保持壁２１３のそれぞれは、同じく底壁５３から突出し、支持柱２１２よりも長い壁部である。この保持壁２１３は、図１２に示すように、ロアカバー２１０がコネクタハウジング３０に組み付けられた状態で、電線引き出し面３４Ｆ１に垂直な向きで、支持柱２１２を挟んで配置されている。抜け止め爪２１４は、保持壁２１３の延出端から、対となる相手側の保持壁２１３に向かって突出する爪状の部分である。
【００５９】
ロアカバー２１０がコネクタハウジング３０に組み付けられると、図１２および図１３に示すように、複数の電線１０のそれぞれが、複数のガイド部２１１のそれぞれに嵌め付けられる。具体的には、電線１０が一対の保持壁２１３の間に挿入され、支持柱２１２上に保持される。
【００６０】
本変形例においても、上記実施形態と同様の作用効果が奏される。また、ガイド部２１１が抜け止め爪２１４を備えているから、電線１０が一対の保持壁２１３の間から外れる方向（図１３の上方向）に変位しようとすると、抜け止め爪２１４が電線１０に干渉する。これにより、電線１０が意図しない状況で一対の保持壁２１３の間から外れてしまうことが抑制される。これにより、電線１０を電線引き出し面３４Ｆ１に対して垂直に、確実に保持することができる
【００６１】
＜変形例３＞
次に、変形例３を、図１４を参照しつつ説明する。本変形例において上記実施形態と同等の構成には、同一の符号を付して説明を省略する。
【００６２】
ガイド部３１０は、一対の保持壁３１１と、一対の保持壁３１１のそれぞれから延びる複数の抜け止め爪３１２（抜け止め部に該当）とを備えている。一対の保持壁３１１のそれぞれは、底壁５３から突出する壁部である。保持壁３１１は、上記実施形態と同様に、電線引き出し面３４Ｆ１に垂直な向きで配置されている。抜け止め爪３１２は、保持壁３１１の延出端から、対となる相手側の保持壁３１１に向かって突出する爪状の部分である。１つの保持壁３１１は、２つの抜け止め爪３１２を備えている。２つの抜け止め爪３１２のうち一方は、保持壁３１１の延出端と底壁５３との中間位置に配置されており、他方は、保持壁３１１の延出端に配置されている。底壁５３と一方の抜け止め爪３１２との間隔、および、一方の抜け止め爪３１２と他方の抜け止め爪３１２との間隔は、電線１０の外径に概ね等しくなっている。
【００６３】
１つのガイド部３１０に、コネクタハウジング３０から延びる２本の電線１０が保持されている。底壁５３と一方の抜け止め爪３１２との間に１本の電線１０が、一方の抜け止め爪３１２と他方の抜け止め爪３１２との間にもう１本の電線１０が保持される。
【００６４】
本変形例においても、上記実施形態と同様の作用効果が奏される。また、１つの保持壁３１１が、２つの抜け止め爪３１２を備えている。そして、底壁５３と一方の抜け止め爪３１２との間に１本の電線１０が保持されており、一方の抜け止め爪３１２と他方の抜け止め爪３１２との間にもう１本の電線１０が保持されている。このような構成によれば、例えば、コネクタハウジングから導出され、底壁５３に沿って並ぶ電線１０の列が、２列存在している場合にも対応できる。
【００６５】
＜変形例４＞
次に、変形例４を、図１５を参照しつつ説明する。本変形例において上記実施形態と同等の構成には、同一の符号を付して説明を省略する。
【００６６】
ガイド部４１０は、支持柱４１１と、一対の保持壁４１２と、一対の保持壁４１２のそれぞれの先端から延びる抜け止めバネ４１３（抜け止め部に該当）とを備えている。支持柱４１１は、底壁５３から突出する柱状の部分である。一対の保持壁４１２のそれぞれは、同じく底壁５３から突出し、支持柱４１１よりも長い壁部である。この保持壁４１２は、上記実施形態と同様に、電線引き出し面３４Ｆ１に垂直な向きで、支持柱４１１を挟んで配置されている。抜け止めバネ４１３は、保持壁４１２の延出端から、底壁５３に向かって突出する板バネ状の部分である。抜け止めバネ４１３は、保持壁４１２の延出端から離れるほど相手側の保持壁４１２に近づくように、保持壁４１２に対して傾斜しており、保持壁４１２に対して近接−離間する方向に撓み可能となっている。一対の保持壁４１２の間隔は、電線１０の外径よりもやや大きくなっており、ゴム栓２０の外径よりも小さくなっている。
【００６７】
本変形例においても、上記実施形態と同様の作用効果が奏される。また、各保持壁４１２が、抜け止めバネ４１３を備えているから、この抜け止めバネ４１３によって、電線１０が一対の保持壁４１２の間から外れてしまうことが抑制される。これにより、電線１０を電線引き出し面３４Ｆ１に対して垂直に、確実に保持することができる。さらに、抜け止めバネ４１３の撓み量が、一対の保持壁４１２間に保持される電線１０の外径に応じて変化することにより、コネクタハウジングに保持される電線１０のサイズ変更にある程度対応することが可能となる。
【００６８】
＜他の実施形態＞
（１）実施形態では、複数のガイド部７１のそれぞれが、一対の保持壁７３を備えていたが、例えば、隣り合う電線の間に配置される１枚の保持壁が、隣り合う２つのガイド部に共有されていても構わない。
【００６９】
（２）変形例２では、１つの保持壁２１３から１つの抜け止め爪２１４が延びており、変形例３では、１つの保持壁３１１から２つの抜け止め爪３１２が延びていたが、１つの保持壁から突出する抜け止め部の数を増やすことによって、電線の列が３列以上である場合にも対応できる。
【００７０】
（３）抜け止め部は、一対の保持壁のうち一方のみに設けられていても構わない。
【符号の説明】
【００７１】
１、１００：カバー付きコネクタ
１０  電線
２０：ゴム栓（シール部材）
２０Ｆ：電線導出面
２１：電線挿通孔
３０：コネクタハウジング
３１：フード部
３２：奥壁部
３３：周壁部
３４：電線保持部
３４Ｆ１：電線引き出し面
３４Ｆ２：ロック面
３５：キャビティ
３６：ロック突部
４０、１１０：カバー
４１：カバー本体
４２：主筒部
４３：導出部
５１、１１１、２１０：ロアカバー（第１カバー）
５２：下主筒部
５３：底壁
５４：外壁
５４Ｌ、５５Ｌ：ロック壁部
５５：内壁
５６：下導出部
５７：ロック凹部
５８：ロック突起
６１、１１５：アッパカバー（第２カバー）
６２、１１６：上主筒部
６３：上導出部
６４：ロック片
７１、１１２、２１１、３１０、４１０：ガイド部
７２：支持壁
７３、１１３、２１３、３１１、４１２：保持壁
７３Ａ：当接縁
７３Ｂ：延出端縁（端縁）
７３Ｃ：テーパ部
１１４：係止突片（係止部）
１１７：係止孔（係止受部）
２１２、４１１：支持柱
２１４、３１２：抜け止め爪（抜け止め部）
４１３：抜け止めバネ（抜け止め部）
【図１】
2020149874.tif 000003
【図２】
2020149874.tif 000004
【図３】
2020149874.tif 000005
【図４】
2020149874.tif 000006
【図５】
2020149874.tif 000007
【図６】
2020149874.tif 000008
【図７】
2020149874.tif 000009
【図８】
2020149874.tif 000010
【図９】
2020149874.tif 000011
【図１０】
2020149874.tif 000012
【図１１】
2020149874.tif 000013
【図１２】
2020149874.tif 000014
【図１３】
2020149874.tif 000015
【図１４】
2020149874.tif 000016
【図１５】
2020149874.tif 000017